【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
複数の光ビームを同時に並行走査して画像を形成するプリンタ装置に対して、前記複数の光ビームを各々制御するための複数の画像信号を供給する画像出力装置において、
前記複数の光ビーム毎に対応する複数の画像データをそれぞれ保持する複数の記憶手段と、
前記複数の記憶手段から各々出力された前記複数の画像データを、前記複数の光ビームを各々制御するための複数の画像信号にそれぞれ変換して前記プリンタ装置側へ出力する複数のデータ処理手段と、
前記複数の記憶手段の各々に保持された画像データを、対応する前記データ処理手段に該データ処理手段の処理結果に応じて転送する転送手段とを有することを特徴とする画像出力装置。
【請求項２】
走査単位に整形された画像データを前記複数の光ビームの各々に対応する画像データに分離する分離手段を有し、
前記複数の記憶手段の各々は、前記分離手段により分離した画像データを走査順に記憶することを特徴とする請求項１に記載の画像出力装置。
【請求項３】
画像データを圧縮するデータ圧縮手段を更に有し、前記記憶手段に保持される各画像データは、走査単位に整形される前に前記圧縮手段により圧縮され、
前記データ処理手段は、圧縮された各画像データを伸長する処理を行い、この伸長処理に伴って前記転送手段から前記伸長された画像データを前記データ処理手段に補充することを特徴とする請求項２に記載の画像出力装置。
【請求項４】
前記データ処理手段から出力される画像信号は、前記プリンタ装置が供給する信号に同期して出力されることを特徴とする請求項１乃至３のいずれか１項に記載の画像出力装置。
【請求項５】
前記転送手段は、独立動作可能なＤＭＡチャネルを前記光ビームと同数備えるＤＭＡコントローラであることを特徴とする請求項１乃至４のいずれか１項に記載の画像出力装置。
【請求項６】
複数の光ビームを同時に並行走査して画像を形成するプリンタ装置に対して、前記複数の光ビームを各々制御するための複数の画像信号を供給する画像出力装置の画像出力方法であって、
前記複数の光ビーム毎に対応する複数の画像データを複数の記録領域にそれぞれ保持する記憶工程と、
前記複数の記憶領域内に各々保持された複数の画像データを、転送手段を制御してそれぞれ独立して転送する転送工程と、
前記転送工程によって転送された前記複数の画像データを、前記複数の光ビームを各々制御するための複数の画像信号にそれぞれ変換して前記プリンタ装置側へ出力するデータ処理工程とを有することを特徴とする画像出力方法。
【請求項７】
前記記憶工程は、走査単位に整形された画像データを前記光ビームの各々に対応する画像データに分離し、該分離した画像データを走査順に前記記憶領域に記憶することを特徴とする請求項６に記載の画像出力方法。
【請求項８】
前記記憶領域に保持される各画像データを、走査単位に整形される前に圧縮する圧縮工程を更に有し、前記データ処理工程は、圧縮された各画像データを伸長する処理を行い、この伸長処理に伴って前記転送工程は前記データ処理工程に前記伸長された画像データを補充することを特徴とする請求項７に記載の画像出力方法。
【請求項９】
前記データ処理工程によって出力される画像信号は、前記プリンタ装置が供給する信号に同期して出力されることを特徴とする請求項６乃至８のいずれか１項に記載画像出力方法。
【請求項１０】
請求項６乃至９のいずれか１項に記載の画像出力方法を実行するための、コンピュータで読み取り可能な制御プログラム。
【請求項１１】
請求項１０記載の制御プログラムを格納したコンピュータで読み取り可能な記憶媒体。
【手続補正２】
【補正対象書類名】明細書
【補正対象項目名】発明の名称
【補正方法】変更
【補正の内容】
【発明の名称】画像出力装置及びその画像出力方法、制御プログラム、並びに記憶媒体
【手続補正３】
【補正対象書類名】明細書
【補正対象項目名】０００１
【補正方法】変更
【補正の内容】
【０００１】
本発明は、カラープリンタエンジンに画像データを供給するプリンタコントローラ等の画像出力装置及びその画像出力方法、前記画像出力装置の制御方法を実現するための制御プログラム、並びに前記制御プログラムを格納した記憶媒体に関するものである。
【手続補正４】
【補正対象書類名】明細書
【補正対象項目名】００１０
【補正方法】変更
【補正の内容】
【００１０】
本発明は上記従来の問題点に鑑み、高画質化に伴うバッファメモリの容量増加によって生ずるコストや実装面積の増大や、印刷用紙のサイズや解像度の変更に伴うライン分離処理の複雑化を招くことのない安価で柔軟な画像出力装置及びその画像出力方法、制御プログラム、並びに記憶媒体を提供することを目的とする。
【手続補正５】
【補正対象書類名】明細書
【補正対象項目名】００１１
【補正方法】変更
【補正の内容】
【００１１】
上記目的を達成するために、本発明は、複数の光ビームを同時に並行走査して画像を形成するプリンタ装置に対して、前記複数の光ビームを各々制御するための複数の画像信号を供給する画像出力装置において、前記複数の光ビーム毎に対応する複数の画像データをそれぞれ保持する複数の記憶手段と、前記複数の記憶手段から各々出力された前記複数の画像データを、前記複数の光ビームを各々制御するための複数の画像信号にそれぞれ変換して前記プリンタ装置側へ出力する複数のデータ処理手段と、前記複数の記憶手段の各々に保持された画像データを、対応する前記データ処理手段に該データ処理手段の処理結果に応じて転送する転送手段とを有することを特徴とする。
また、本発明は、複数の光ビームを同時に並行走査して画像を形成するプリンタ装置に対して、前記複数の光ビームを各々制御するための複数の画像信号を供給する画像出力装置の画像出力方法であって、前記複数の光ビーム毎に対応する複数の画像データを複数の記録領域にそれぞれ保持する記憶工程と、前記複数の記憶領域内に各々保持された複数の画像データを、転送手段を制御してそれぞれ独立して転送する転送工程と、前記転送工程によって転送された前記複数の画像データを、前記複数の光ビームを各々制御するための複数の画像信号にそれぞれ変換して前記プリンタ装置側へ出力するデータ処理工程とを有することを特徴とする。
また、本発明の制御プログラムは、上記画像出力方法を実行するための、コンピュータで読み取り可能な制御プログラムであることを特徴とする。
また、本発明の記憶媒体は、上記制御プログラムを格納した、コンピュータで読み取り可能な記憶媒体であることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２５
【補正方法】変更
【補正の内容】
【００２５】
本発明の画像出力装置及びその画像出力方法、制御プログラム、並びに記憶媒体の実施の形態について、図面を参照しながら説明する。本実施形態の画像出力装置は、例えばプリンタコントローラに適用される。